(57)【要約】【課題】ＴＶ放送等の映像信号から容易に地点特定情報を用いた処理を行うことができるナビゲーション装置を提供する。【解決手段】ＴＶ用制御部５３では、通常、ＴＶ映像をそのまま表示部７０に出力しているが、ユーザによりＴＶ用入力部５２から入力があった場合、その時点の映像をＴＶ映像取込部５３ａに取込み、画像処理部５３ｂにて住所、電話番号等の情報を抽出し、ナビゲーション部６０のナビ用制御部６３に出力する。ＴＶ部５０からデータを受信したナビ用制御部６３は、受信データについて検索部６３ａにて地図データベース６３ｂを用いて地点検索を実施し、検索地点を表示部７０に表示する。【選択図】図３
2004271232.tif 000002
【特許請求の範囲】
【請求項１】
映像信号を取り込む映像信号取込手段と、
前記映像信号取込手段によって取り込まれた映像信号から画像認識によって地点特定情報を抽出する地点特定情報抽出手段と、
前記地点特定情報抽出手段によって抽出された地点特定情報を用いた処理を行う地点特定情報利用手段と
を備えることを特徴とするナビゲーション装置。
【請求項２】
請求項１に記載のナビゲーション装置において、
ＴＶ放送を受信し、受信したＴＶ放送の映像信号を出力するＴＶ映像信号出力手段を備え、
前記映像信号取込手段は、前記ＴＶ映像信号出力手段によって出力されたＴＶ放送の映像信号を取り込むこと
を特徴とするナビゲーション装置。
【請求項３】
請求項１または２に記載のナビゲーション装置において、
前記地点特定情報抽出手段は、前記映像信号から施設名、住所、郵便番号、電話番号のいずれかを前記地点特定情報として抽出すること
を特徴とするナビゲーション装置。
【請求項４】
請求項１〜３のいずれかに記載のナビゲーション装置において、
前記地点情報抽出手段における前記画像認識は、前記映像信号取込手段によって取り込まれた映像信号から文字情報を認識するものであること
を特徴とするナビゲーション装置。
【請求項５】
請求項１〜４のいずれかに記載のナビゲーション装置において、
前記地点特定情報抽出手段は、前記地点特定情報として、予め設定された地点特定情報の範囲に含まれるもののみを抽出すること
を特徴とするナビゲーション装置。
【請求項６】
請求項１〜５のいずれかに記載のナビゲーション装置において、
前記映像信号を入力して表示する表示手段と、
ユーザによる取込要求を入力する取込要求入力手段を備え、
前記映像信号取込手段は、前記取込要求入力手段によって取込要求が入力された際に、前記映像信号を取り込むこと
を特徴とするナビゲーション装置。
【請求項７】
請求項１〜６のいずれかに記載のナビゲーション装置において、
前記地点情報利用手段は、前記地点特定情報を用いた処理として、前記地点特定情報抽出手段によって抽出された地点特定情報、または、前記地点特定情報に基づき特定した地点の少なくともいずれか一方を記憶する処理を行うこと
を特徴とするナビゲーション装置。
【請求項８】
請求項１〜７のいずれかに記載のナビゲーション装置において、
前記地点情報利用手段は、前記地点特定情報を用いた処理として、前記地点特定情報に基づき地点を特定し、その地点を目的地として経路案内処理を行うこと
を特徴とするナビゲーション装置。
【請求項９】
請求項１〜８のいずれかに記載のナビゲーション装置としての機能をコンピュータに実現させるためのプログラム。
【発明の詳細な説明】
【０００１】
【発明の属する技術分野】
本発明は、映像信号から地点特定情報を抽出して利用するナビゲーション装置に関する。
【０００２】
【従来の技術】
従来より、ユーザがリモコン等を操作して、例えば、郵便番号・電話番号・住所等の地点特定情報を入力し、この地点特定情報を用いた処理を行うナビゲーション装置が知られている。この地点特定情報を用いた処理としては、例えば、地点特定情報または地点特定情報から特定した地点をメモリに記憶しておき、そのメモリに記憶された情報を各種の処理から利用可能とする記憶処理や、地点特定情報に基づいて地点を特定し、その地点を目的地として設定する目的地設定処理や、現在位置から目的地設定処理によって設定された目的地（地点）までの推奨経路を算出して現在位置付近の地図とともに推奨経路を表示装置に表示し、表示あるいは音声によって推奨経路を通るために必要な案内を行う経路案内処理や、地点特定情報に基づいて特定した地点に現在位置が近づいた際にその地点に関する情報を報知する地点案内処理などがあげられる。
【０００３】
またこれとは別に、ナビゲーション装置に、ＴＶ放送を受信する機能を付加して、ナビゲーション画面とＴＶ放送画面とを切り替えて表示可能なナビゲーション装置が知られている。また、ＴＶ放送に地図情報を多重して放送することで、受信側で特定した位置の地図を表示するナビゲーション装置も知られている（例えば特許文献１参照。）。
【０００４】
【特許文献１】
特開平８−１１０２３１号公報
【０００５】
【発明が解決しようとする課題】
従来のナビゲーション装置では、この地点特定情報は、ユーザ自身がリモコンを操作して登録する必要があった。例えば、電話番号・郵便番号・住所などを入力するためのメニュー等を、リモコン等を操作してナビゲーション装置に表示させ、さらにリモコン等を操作して、これらの地点特定情報を入力する必要があった。
【０００６】
そのため、例えば、ＴＶ放送を受信する機能を備えたナビゲーション装置においてユーザがテレビ放送を視聴中に登録したい地点特定情報がＴＶ放送中で流れた場合、ユーザがその地点特定情報を利用した処理をナビゲーション装置に行わせようとすると、リモコン等を操作し、ＴＶ放送画面からナビゲーション画面に切り替え、地点特定情報をリモコン等から入力する必要があった。そのため、ユーザはＴＶ放送で放送された地点特定情報を、いったんメモしたり、覚えておく必要がある。特にＴＶ放送では、地点特定情報が例えばテロップのような形で、数秒間表示されることが多く、この間に地点特定情報をメモしたり、覚えたりすることは困難な場合があった。また、いちいち、ナビゲーション画面に切り替えてはメニュー操作を行って地点特定情報を入力する必要があり手間がかかった。
【０００７】
そこで、本発明は、ＴＶ放送等の映像信号から容易に地点特定情報を用いた処理を行うことができるナビゲーション装置を提供することを目的とする。
【０００８】
【課題を解決するための手段及び発明の効果】
上述した問題点を解決するためになされた請求項１に記載のナビゲーション装置によれば、映像信号を取り込み、取り込んだ映像信号から画像認識によって地点特定情報を抽出する。そしてこの抽出した地点特定情報を用いた処理を行う。
【０００９】
このように映像信号から自動的に地点特定情報が抽出され、抽出された地点特定情報を用いた処理がなされるので、ユーザは、地点特定情報をリモコン等から入力する必要がない。
映像信号は、ナビゲーション装置の外部から取り込んでもよいが、特に請求項２に示すようにナビゲーション装置を構成して、ＴＶ（テレビ）放送の映像信号から地点特定情報を抽出するとよい。このようにすれば、ＴＶ放送の映像中に地点特定情報が含まれる場合に、その地点特定情報を用いた処理を自動的にナビゲーション装置に実行させることができる。
【００１０】
地点特定情報としては、例えば、請求項３に示すように、施設名、住所、郵便番号、電話番号を用いるとよい。例えば、請求項８に示すように、地点特定情報を用いた処理として、地点特定情報に基づき地点を特定する処理を行う場合には、例えばこうした地点特定情報と地点との対応関係を記憶したデータベースを用いて検索処理を行うことにより、容易に地点を特定することができる。
【００１１】
地点特定情報は、取り込んだ映像信号から画像認識によって抽出するが、画像認識の対象としては、例えば取り込んだ１ないし複数の画面（例えばフレーム）上に含まれる地図やサービスマーク（例えばコマーシャル中に表示されるマーク）などを認識して地点特定情報として抽出することができる。また、特に、請求項４に示すように、文字情報を認識するとよい。例えば、取り込んだ映像信号である画面中の文字情報を認識する。例えば、ＴＶ放送では、地点特定情報がテロップのような形で表示されることが多い。例えばテロップを文字認識するとよい。例えば請求項３に記載のように、施設名、住所、郵便番号、電話番号の文字情報を認識して抽出する。なお、こうした文字認識の処理方法としては例えば公知のＯＣＲ等の処理方法を利用することができる。
【００１２】
これらの地点特定情報は、地点特定情報利用手段における地点特定情報を用いた処理において利用する範囲で抽出するとよい。そこで、例えば、請求項５に示すように、地点特定情報として、予め設定された地点特定情報の範囲に含まれるもののみを抽出するとよい。例えば、認識した地点特定情報から予め設定された地点特定情報の範囲に含まれ地点特定情報のみを抽出する。例えば、地点特定情報を用いた処理において、特定の地域の情報のみ利用したい場合には、その地域の地点特定情報のみ抽出する。例えば、電話番号が所定の局番から始まる地点特定情報のみを抽出するようにする。
【００１３】
なお、地点特定情報抽出手段は、地点特定情報を映像信号から自動的に随時抽出するようにしてもよいし、ユーザからの指示があった場合に抽出するようにしてもよい。例えば、請求項６に示すように、映像信号を入力して表示し、ユーザによる取込要求が入力された際に、映像信号を取り込むようにする。例えば、ユーザが登録スイッチ等を押した場合に、表示中の映像信号を取り込むようにする。このようにすれば、表示された映像をユーザが見ているときに、地点特定情報を利用した処理を行わせたい地点特定情報が表示された場合、その地点特定情報を利用した処理を容易にナビゲーション装置に実行させることができる。このようにすれば、表示されている映像を見て、地点特定情報をメモしたり、覚えたりする必要がなくなる。また、いちいち、地点特定情報を入力する必要もなく、手軽で手間がかからない。
【００１４】
地点情報利用手段における、地点特定情報を用いた処理としては、様々な処理を行うことができる。例えば請求項７に示すように、地点特定情報抽出手段によって抽出された地点特定情報を記憶する処理を行うようにしたり、地点特定情報に基づき特定した地点を記憶するようにしたり、請求項８に示すように、地点特定情報に基づき地点を特定し、その地点を目的地として経路案内処理を行うようにしたりするとよい。また、例えば請求項７の構成によって記憶した地点特定情報に基づき経路案内処理を行うようにしてもよい。
【００１５】
なお、請求項９に示すように、請求項１〜８のいずれかに記載のナビゲーション装置における各手段をコンピュータシステムにて実現する場合、例えば、コンピュータシステムで起動（実行）するプログラムとして備えることができる。このようなプログラムの場合、例えば、フレキシブルディスク、光磁気ディスク、ＣＤ−ＲＯＭ、ハードディスク、ＲＯＭ、ＲＡＭ等のコンピュータ読み取り可能な記録媒体に記録し、必要に応じてコンピュータシステムにロードして起動することにより用いることができ、また、ネットワークを介してロードして起動することにより用いることもできる。
【００１６】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１７】
図１は実施例のナビゲーション装置１の構成を示すブロック図である。ナビゲーション装置１は、車両の現在位置を検出する位置検出器２１と、ユーザからの各種指示を入力するための操作スイッチ群２２と、操作スイッチ群２２と同様に各種指示を入力可能なリモートコントロール端末（以下、リモコンと称す。）２３ａと、リモコン２３ａからの信号を入力するリモコンセンサ２３ｂと、外部情報入出力装置２４と、地図データや各種の情報を記録した外部記憶媒体から地図データ等を入力する地図データ入力器２５と、地図表示画面やＴＶ画面等の各種表示を行うための表示装置２６と、各種のガイド音声等を出力するための音声出力装置２７と、各種のデータを記憶するための外部メモリ２８と、ＥＴＣ路上機から受信した料金情報などを取り込むＥＴＣ車載機２９と、ＴＶ放送を受信し映像信号を出力するＴＶ受信機３０と、上述した位置検出器２１，操作スイッチ群２２，リモコン２３ａ，外部情報入出力装置２４，地図データ入力器２５，外部メモリ２８、ＥＴＣ車載機２９、ＴＶ受信機３０からの入力に応じて各種処理を実行し、位置検出器２１，操作スイッチ群２２，リモコンセンサ２３ｂ，外部情報入出力装置２４，地図データ入力器２５，表示装置２６，音声出力装置２７，外部メモリ２８、ＥＴＣ車載機２９、ＴＶ受信機３０を制御する制御回路３２とを備えている。
【００１８】
位置検出器２１は、ＧＰＳ（Ｇｌｏｂａｌ  Ｐｏｓｉｔｉｏｎｉｎｇ  Ｓｙｓｔｅｍ）用の人工衛星からの送信電波をＧＰＳアンテナを介して受信し、車両の位置，方位，速度等を検出するＧＰＳ受信機２１ａと、車両に加えられる回転運動の大きさを検出するジャイロスコープ２１ｂと、車両の前後方向の加速度等から走行した距離を検出するための距離センサ２１ｃと、地磁気から進行方位を検出するための地磁気センサ２１ｄとを備えている。そして、これら各センサ等２１ａ〜２１ｄは、各々が性質の異なる誤差を有しているため、互いに補完しながら使用するように構成されている。なお、精度によっては、上述したうちの一部のセンサで構成してもよく、またステアリングの回転センサや各転動輪の車輪センサ等を用いてもよい。
【００１９】
操作スイッチ群２２としては、表示装置２６と一体に構成され、表示画面上に設置されるタッチパネル及び表示装置２６の周囲に設けられたメカニカルなキースイッチ等が用いられる。なおタッチパネルと表示装置２６とは積層一体化されており、タッチパネルには、感圧方式，電磁誘導方式，静電容量方式，あるいはこれらを組み合わせた方式など各種の方式があるが、そのいずれを用いてもよい。
【００２０】
外部情報入出力装置２４は、図示しないラジオアンテナを介してＦＭ放送信号を受信したり、道路近傍に配置されたＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：道路交通情報システム）サービス用の固定局から、電波ビーコン信号及び光ビーコン信号を受信する。この受信した情報は制御回路３２へ送られて処理される。また、図示しない携帯電話と接続され、情報センターから情報を取得したり、インターネットに接続しインターネット上のサーバから情報を取得する機能を備える。
【００２１】
地図データ入力器２５は、位置特定の精度向上のためのいわゆるマップマッチング用データ、地図データ、マークデータを含む各種データを入力するための装置である。これらのデータの記録媒体としては、そのデータ量からＣＤ−ＲＯＭやＤＶＤを用いるのが一般的であるが、ハードディスクなどの磁気記憶装置やメモリカード等の他の媒体を用いても良い。
【００２２】
地図データ中の道路データは、交差点等の複数のノード間をリンクにより接続して地図を構成したものであって、それぞれのリンクに対し、リンクを特定する固有番号（リンクＩＤ）、リンクの長さを示すリンク長、リンクの始端と終端とのｘ，ｙ座標、リンクの道路幅、および道路種別（有料道路等の道路情報を示すもの）、道路を特定するための道路ＩＤ（例えば国道○号線のような道路を特定する情報）のデータからなるリンク情報を備える。また地図データ中には、地名情報（住所・電話番号）、交通情報、施設情報が地点情報であるその座標（ｘ，ｙ座標）とともに記憶されている。
【００２３】
表示装置２６は、カラー表示装置であり、液晶ディスプレイ，プラズマディスプレイ，ＣＲＴなどがあるが、そのいずれを用いてもよい。表示装置２６の表示画面には、位置検出器２１にて検出した車両の現在位置と地図データ入力器２５より入力された地図データとから特定した現在地を示すマーク、目的地までの誘導経路、名称、目印、各種施設のマーク等の付加データとを重ねて表示したり、施設のガイド等を表示する。これらの表示をナビゲーション表示と称する。
【００２４】
また、表示装置２６は、制御回路３２のメモリに取り込まれたＴＶ受信機３０によって受信されたＴＶ映像を表示する。この表示をＴＶ表示と称する。なお、ナビゲーション表示とＴＶ表示とは、操作スイッチ群２２またはリモコン２３ａからの信号に基づいて制御回路３２が切り替えを行う。
【００２５】
音声出力装置２７は、地図データ入力器２５より入力した施設のガイドや各種案内の音声や、外部情報入出力装置２４を介して取得した情報の読み上げ音声を出力することができる。この出力をナビゲーション出力と称する。また、音声出力装置２７は、制御回路３２に取り込まれたＴＶ受信機３０によって受信されたＴＶ音声を出力する。この出力をＴＶ音声出力と称する。なお、ナビゲーション出力とＴＶ音声出力とは、操作スイッチ群２２またはリモコン２３ａからの信号に基づいて制御回路３２が切り替えを行う。
【００２６】
制御回路３２は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ及びＲＡＭに記憶されたプログラムに基づいて、位置検出器２１からの各検出信号に基づき座標及び進行方向の組として車両の現在位置を算出し、地図データ入力器２５を介して読み込んだ現在位置付近の地図等と車両の現在位置を示すマークとを重ねて表示装置２６に表示する地図表示処理や、地図データ入力器２５に格納された地点データに基づき、操作スイッチ群２２やリモコン２３ａ等の操作に従って目的地となる施設を選択し、現在位置から目的地までの推奨経路を自動的に求める経路計算を行って、その推奨経路に基づいて経路案内情報を地図データ入力器２５から読み込み、経路案内情報を表示装置２６に表示したり、音声出力装置２７から出力したりする経路案内処理を行う。なお、このように自動的に推奨経路を設定する手法は、ダイクストラ法等の手法が知られている。
【００２７】
また、制御回路３２は、操作スイッチ群２２やリモコン２３ａ等の操作に従ってＴＶ受信機３０で受信するチャンネルや音量などを制御する処理や、ＴＶ受信機３０から出力された映像信号をメモリに取り込み、チャンネル情報や音量情報など各種の情報をメモリ内で重ね合わせて、表示装置２６へ転送することによって表示装置２６に表示させる処理なども行う。
【００２８】
図２は、制御回路３２によって実行されるＴＶ放送から地点情報を得て利用する処理の流れを示すフローチャートである。
ＴＶ放送を受信して（図２のＳ１１０）、表示装置２６へＴＶ放送を表示する処理（Ｓ１３０）を行っている間に、映像の取り込み要求（映像取込要求）が操作スイッチ群２２またはリモコン２３ａから入力されたか否かを判定する（Ｓ１２０）。映像取込要求がある場合には（Ｓ１２０：ＹＥＳ）、ＴＶ受信機３０から出力された映像信号を１画面分（１フレーム分）、制御回路３２のメモリへ取り込む（Ｓ１４０）。そして、取り込んだ画面情報からデータを文字認識によって抽出し（Ｓ１５０）、抽出したデータに住所あるいは電話番号データがあるか否かを判定する（Ｓ１６０）。この判定は、例えば、所定の文字パターンを含むか否かによって行う。例えば電話番号であれば「（０３）００００−００００」のような所定の文字パターンを持ち、住所であれば、例えば「県」「区」「市」のような所定の文字パターンを持つので、こうした文字パターンを含むか否かによって判定できる。抽出したデータに住所あるいは電話番号データがない場合には（Ｓ１６０：ＮＯ）、エラー表示して（Ｓ１７０）、Ｓ１１０へ戻る。一方、抽出したデータに住所あるいは電話番号データがある場合には（Ｓ１６０：ＹＥＳ）、抽出したデータに住所データと地図データの両方があるか否かを判定する（Ｓ１７０）。両方がある場合には（Ｓ１８０：ＹＥＳ）、Ｓ１９０へ移行し、一方のみの場合には（Ｓ１８０：ＮＯ）、Ｓ２１０へ移行する。
【００２９】
Ｓ１９０では、地図データ入力器２５から、電話番号をキーとして地点情報である座標を検索する。そして検索が完了したか否かを判定する（Ｓ２００）。すなわち対応する電話番号及びその電話番号に対応する地点情報である座標が、地図データ入力器２５の媒体から得られたか否かを判定し（Ｓ２００）、得られた場合には（Ｓ２００：ＹＥＳ）、Ｓ２７０へ移行する。一方、対応する電話番号またはその電話番号に対応する地点情報である座標が、地図データ入力器２５の媒体から得られなかった場合には（Ｓ２００：ＮＯ）、Ｓ２２０へ移行する。
【００３０】
一方、Ｓ２１０では、抽出したデータのうち電話番号を利用するか否かをユーザに尋ねる表示を表示装置２６に行い、操作スイッチ群２２またはリモコン２３ａから、電話番号を利用する旨の指示が入力された場合には（Ｓ２１０：ＹＥＳ）、Ｓ２４０へ移行する。一方、操作スイッチ群２２またはリモコン２３ａから、住所を利用する旨の指示が入力された場合には（Ｓ２１０：ＮＯ）、Ｓ２２０へ移行する。
【００３１】
Ｓ２２０では、地図データ入力器２５から、住所をキーとして地点情報である座標を検索する。そして検索が完了したか否かを判定する（Ｓ２３０）。すなわち対応する電話番号及びその電話番号に対応する地点情報である座標が、地図データ入力器２５の媒体から得られたか否かを判定し（Ｓ２３０）、得られた場合には（Ｓ２３０：ＹＥＳ）、Ｓ２７０へ移行する。一方、対応する住所またはその住所に対応する地点情報である座標が、地図データ入力器２５の媒体から得られなかった場合には（Ｓ２３０：ＮＯ）、Ｓ２６０へ移行して、エラー表示を行い、Ｓ１１０へ戻る。
【００３２】
Ｓ２４０では、地図データ入力器２５から、電話番号をキーとして地点情報である座標を検索する。そして検索が完了したか否かを判定する（Ｓ２５０）。すなわち対応する電話番号及びその電話番号に対応する地点情報である座標が、地図データ入力器２５の媒体から得られたか否かを判定し（Ｓ２５０）、得られた場合には（Ｓ２５０：ＹＥＳ）、Ｓ２７０へ移行する。一方、対応する電話番号またはその電話番号に対応する地点情報である座標が、地図データ入力器２５の媒体から得られなかった場合には（Ｓ２５０：ＮＯ）、Ｓ２６０へ移行して、エラー表示を行い、Ｓ１１０へ戻る。
【００３３】
そして、Ｓ２７０では、これまでの処理で得られた座標の周辺の地図データを地図データ入力器２５から入力して地図を描画し、表示装置２６に表示させる。
そして続くＳ２８０で、この地点（座標）をメモリ地点として登録するか、目的地として登録するかをユーザに尋ねる表示を表示装置２６に行う。
【００３４】
操作スイッチ群２２またはリモコン２３ａから、メモリ地点として登録する旨が入力された場合には（Ｓ２８０：メモリ地点）、Ｓ２９０へ移行して、外部メモリ２８へこの座標をメモリ地点として登録する。このように外部メモリ２８へ登録しておいたメモリ地点は、必要に応じてリモコン２３ａ等を操作して経路案内の目的地として設定することが可能である。
【００３５】
一方、操作スイッチ群２２またはリモコン２３ａから、目的地として登録する旨が入力された場合には（Ｓ２８０：目的地）、Ｓ３００へ移行して、目的地として登録する。そして、この目的地への経路を計算し（Ｓ３１０）、経路案内処理を開始する。
【００３６】
このようにして、ユーザは、ＴＶ放送の視聴中に映像取込要求を操作スイッチ群２２またはリモコン２３ａから入力するだけで、ＴＶ映像中で見かけた住所や電話番号から特定される地点（座標）をメモリ地点として登録したり、目的地として登録して経路案内を行わせることができる。
［別実施例］
ナビゲーション装置の構成は上述した構成に限らず様々な構成を採ることができる。例えば、図３に示すような、ＴＶ部５０と、ナビゲーション部６０と、表示部７０とを備える構成とすることができる。ＴＶ部５０は、ＴＶアンテナ５４で受けたＴＶ放送を受信するＴＶ受信機５１と、ＴＶ用リモコンやスイッチなどのＴＶ用入力部５２と、ＴＶ受信機５１から出力されるＴＶ映像信号を画像として取り込むＴＶ映像取込部５３ａ及びＴＶ映像取込部５３ａに取り込んだ画像を処理する画像処理部５３ｂを備えＴＶ受信機５１及びＴＶ用入力部５２の制御を行うＴＶ用制御部５３を備える。また、ナビゲーション部６０は、記憶部６１と、ナビ用入力部６２と、ナビ用制御部６３を備え、ナビ用制御部６３は、検索部６３ａと、地図データベース６３ｂを備える。
【００３７】
ＴＶアンテナ５４を経由しＴＶ電波を受信し、ＴＶ受信機５１にて映像信号を得てＴＶ用制御部５３へ送る。ＴＶ用制御部５３では、通常、ＴＶ映像をそのまま表示部７０に出力しているが、ユーザによりＴＶ用入力部５２から入力があった場合、その時点の映像をＴＶ映像取込部５３ａに取込み、画像処理部５３ｂにて住所、電話番号等の情報を抽出し、ナビゲーション部６０のナビ用制御部６３に出力する。ＴＶ部５０からデータを受信したナビ用制御部６３は、受信データについて検索部６３ａにて地図データベース６３ｂを用いて地点検索を実施し、検索地点を表示部７０に表示する。ここでユーザによりナビ用入力部６２から入力があった場合、入力に従い目的地、メモリ地点等に登録する。目的地として設定された場合は目的地までの経路を計算し、その地点まで案内する。メモリ地点に登録した場合は単に記憶部６１に記憶するのみとする。いずれの場合も、地点の施設名、住所、電話番号等が記憶可能である。メモリ地点に登録した情報は、目的地として設定することも可能である。
【００３８】
また上記実施例ではＴＶ放送中にユーザが操作することを前提としているが、ＴＶ放送をハードディスク等の記憶媒体に録画しつつ操作可能に構成してもよいし、録画後別途操作できるようにしてもよい。
またＴＶ映像取込部５３ａ、及び画像処理部５３ｂにて、常に放送を監視しておき、自動的にメモリ地点等に記憶するようにしてもよい。その際、記憶したい地域を予め設定しておき、抽出された住所、電話番号等から取捨するようにしてもよい。
【００３９】
またＴＶ部５０にて情報を抽出する例を示したが、ナビゲーション部６０で抽出するようにしてもよい。
上記実施例では住所、電話番号での実施例を挙げたが、地点を特定できる情報であれば、どのような情報でも利用可能である。
【図面の簡単な説明】
【図１】実施例のナビゲーション装置の構成を示すブロック図である。
【図２】ＴＶ放送から地点情報を得て利用する処理の流れを示すフローチャートである。
【図３】別実施例のナビゲーション装置の構成を示すブロック図である。
【符号の説明】
１…ナビゲーション装置      ２１…位置検出器
２１ａ…ＧＰＳ受信機        ２１ｂ…ジャイロスコープ
２１ｃ…距離センサ          ２１ｄ…地磁気センサ
２２…操作スイッチ群        ２３ａ…リモコン
２３ｂ…リモコンセンサ      ２４…外部情報入出力装置
２５…地図データ入力器      ２６…表示装置
２７…音声出力装置          ２８…外部メモリ
２９…ＥＴＣ車載機          ３０…ＴＶ受信機
３２…制御回路              ５０…ＴＶ部
５１…ＴＶ受信機            ５２…ＴＶ用入力部
５３…ＴＶ用制御部          ５３ａ…ＴＶ映像取込部
５３ｂ…画像処理部          ５４…ＴＶアンテナ
６０…ナビゲーション部      ６１…記憶部
６２…ナビ用入力部          ６３…ナビ用制御部
６３ａ…検索部              ６３ｂ…地図データベース
７０…表示部
【図１】
2004271232.tif 000003
【図２】
2004271232.tif 000004
【図３】
2004271232.tif 000005